(57)【要約】【課題】大きさが異なる複数種類の媒体を取り扱う場合における、各媒体の再利用の効率を高め得るようにする。【解決手段】現金自動預払機１の紙幣入出金機１０は、入金計数処理において、対象紙幣が短紙幣ＢＬＳであり、且つその一部が外部領域ＳＡＥに到達した幅偏位紙幣であった場合、該対象紙幣を紙幣入出金部１２へ戻して顧客に再投入させるようにした。このため紙幣入出金機１０は、短紙幣ＢＬＳを幅方向のほぼ中央に位置させた状態で紙幣収納庫１６へ搬送し、整然と集積させることができる。これにより紙幣入出金機１０は、以降の出金取引等において紙幣収納庫１６から紙幣を正常に繰り出し得なくなる恐れを排除でき、安定的に紙幣を繰り出すことができる。【選択図】図１０
2017211795.tif 000002
【特許請求の範囲】
【請求項１】
紙葉状でなり幅方向の長さが異なる複数種類の媒体を取扱可能な媒体処理装置であって、
前記媒体を使用者との間で授受する入出部と、
前記入出部内に形成され、取扱可能な何れの前記媒体よりも前記幅方向の長さが長い収容空間と、
取扱可能な何れの前記媒体よりも前記幅方向の長さが長い搬送路を有し、前記入出部の前記収容空間に投入された前記媒体の前記幅方向と交差する方向を進行方向として、該媒体を前記搬送路に沿って搬送する搬送部と、
前記搬送部により搬送される前記媒体が再利用可能であるか否かを鑑別する鑑別部と、
前記鑑別部により再利用可能と鑑別され前記搬送部により搬送された前記媒体を集積して収納し、また前記媒体を分離して繰り出す収納部と、
前記使用者に情報を通知する通知部と、
前記搬送路上の前記媒体が、前記鑑別部において前記幅方向の何れか一方に偏っていると鑑別された幅偏位媒体であった場合、該幅偏位媒体を前記搬送部により前記入出部へ搬送させると共に、前記通知部により前記使用者に対し前記幅偏位媒体の前記幅方向に関する位置の偏りを修正して前記入出部へ再度投入するよう通知させる制御部と
を具えることを特徴とする媒体処理装置。
【請求項２】
前記鑑別部は、前記幅方向の中央に中央部領域が設定されると共に、該中央部領域の両外側に外部領域が設定され、
前記制御部は、前記鑑別部から得られた鑑別結果を基に、前記媒体における前記幅方向の長さが前記中央部領域における前記幅方向の長さである中央部長さよりも短く、且つ該媒体の少なくとも一部が前記外部領域に到達していた場合に、該媒体を前記幅偏位媒体と判断する
ことを特徴とする請求項１に記載の媒体処理装置。
【請求項３】
前記鑑別部は、前記媒体を撮像して得られた画像データを鑑別結果として前記制御部に供給し、
前記制御部は、前記鑑別部から得られる前記画像データを基に、前記媒体の一部が前記外部領域に到達しているか否かを判定する
ことを特徴とする請求項２に記載の媒体処理装置。
【請求項４】
前記制御部は、前記媒体の種類ごとに前記幅方向の長さを種類ごとに予め記憶しておき、前記鑑別部から得られた鑑別結果を基に前記媒体の種類を判定し、該媒体の種類に応じて読み出した前記幅方向の長さを用いて、該媒体が前記中央部長さよりも短いか否かを判定する
ことを特徴とする請求項２に記載の媒体処理装置。
【請求項５】
前記中央部領域の前記幅方向に関する長さは、前記媒体のうち前記幅方向の長さが最も短いものにおける該幅方向の長さを基に定められている
ことを特徴とする請求項２に記載の媒体処理装置。
【請求項６】
前記中央部領域の前記幅方向に関する長さは、前記媒体のうち前記幅方向の長さが最も長いものにおける該幅方向の長さを基に定められている
ことを特徴とする請求項２に記載の媒体処理装置。
【請求項７】
前記入出部は、前記使用者により視認可能な箇所に位置案内ラベルが設けられ、且つ該位置案内ラベルにおける前記中央部領域及び前記外部領域の境界である境界位置に相当する位置に、前記媒体を投入すべき位置を表す位置マークが記されている
ことを特徴とする請求項２に記載の媒体処理装置。
【請求項８】
前記通知部は、前記使用者により視認可能な表示画面を表示する表示部であり、
前記制御部は、前記表示部に対し表示画面により前記位置マークに合わせて前記媒体を投入するよう通知する
ことを特徴とする請求項７に記載の媒体処理装置。
【発明の詳細な説明】
【技術分野】
【０００１】
本発明は媒体処理装置に関し、例えば顧客との間で紙幣等の媒体に関する取引を行う現金自動預払機（ＡＴＭ：Automatic Teller Machine）に適用して好適なものである。
【背景技術】
【０００２】
従来、金融機関等で使用される現金自動預払機においては、顧客との取引内容に応じて、例えば顧客に紙幣や硬貨等の現金を入金させ、また顧客へ現金を出金するものが広く普及している。また現金自動預払機のなかには、入金取引において入金された紙幣のうち再利用が可能なものを、次回以降の出金取引において出金する、リサイクル型（または環流型）と呼ばれるものがある。
【０００３】
現金自動預払機としては、例えば顧客との間で紙幣の授受を行う紙幣入出金口と、紙幣の短辺を搬送路に沿わせて搬送する搬送部と、投入された紙幣の金種や真偽等を鑑別する鑑別部と、投入された紙幣を一時的に保留する一時保留部と、金種ごとに紙幣を収納する紙幣収納庫と、再利用すべきで無い紙幣を収納するリジェクト庫とを有するものがある。
【０００４】
この現金自動預払機は、入金取引において、顧客が紙幣入出金口に紙幣を投入すると、投入された紙幣を搬送部により搬送して鑑別部で鑑別し、正常紙幣と鑑別された紙幣を一時保留部へ収納する一方、取引すべきでないと鑑別された紙幣を紙幣入出金口へ戻して顧客に返却する。続いて現金自動預払機は、顧客により入金金額が確定されると、一時保留部に収納している紙幣を繰り出して搬送し、その金種を鑑別部により再鑑別する。さらに現金自動預払機は、再利用が可能な紙幣を金種に応じて各紙幣収納庫へ搬送し、整然と集積した状態で収納する一方、再利用すべきで無いと鑑別されたリジェクト紙幣をリジェクト庫に収納する。
【０００５】
また現金自動預払機は、出金取引において、顧客から出金額が指定されると、この出金額に応じた金種及び枚数の紙幣を各紙幣収納庫から順次繰り出し、これらを搬送部により紙幣入出金口まで搬送してから、顧客に取り出させる。
【０００６】
ところで現金自動預払機が取り扱う紙幣は、金種に応じて長辺の長さが異なる場合がある。このため現金自動預払機では、紙幣入出金口や搬送部といった各部における幅方向の長さ、すなわち紙幣の長辺に沿った方向の長さが、取り扱う紙幣の長辺のうち最も長いものに合わせて構成される。
【０００７】
そうすると現金自動預払機では、例えば入金取引において、紙幣投入口に投入される紙幣の長辺が比較的短く、且つ幅方向の何れか一方に偏って投入された場合、この偏りを維持したまま紙幣収納庫に収納されることになる。このような場合、現金自動預払機では、紙幣収納庫内に紙幣を乱雑に集積することになり、出金時に適切に繰り出せない恐れがある。
【０００８】
そこで現金自動預払機のなかには、鑑別部等において幅方向に関する紙幣の位置を検知し、幅方向の偏りが比較的大きい場合に、リジェクト庫（非環流庫）へ搬送することにより、紙幣収納庫（環流保管庫）内で紙幣を整然と集積させるものが提案されている（例えば、特許文献１参照）。
【先行技術文献】
【特許文献】
【０００９】
【特許文献１】特開２００３−１９２１８６号公報（図４）
【発明の概要】
【発明が解決しようとする課題】
【００１０】
しかしながら、かかる構成の現金自動預払機では、例えば正常であり損傷の程度が小さく、本来的に再利用が可能な紙幣であっても、幅方向の何れか一方に偏っていた場合、リジェクト庫に収納されるため、再利用することができない。このため現金自動預払機では、再利用の効率、すなわち再利用が可能な紙幣の割合が低下するため、紙幣収納庫に収納される出金用の紙幣が不足しやすくなり、可用性の低下を招く恐れがある、という問題があった。
【００１１】
本発明は以上の点を考慮してなされたもので、大きさが異なる複数種類の媒体を取り扱う場合における、各媒体の再利用の効率を高め得る媒体処理装置を提案しようとするものである。
【課題を解決するための手段】
【００１２】
かかる課題を解決するため本発明の媒体処理装置においては、紙葉状でなり幅方向の長さが異なる複数種類の媒体を取扱可能な媒体処理装置であって、媒体を使用者との間で授受する入出部と、入出部内に形成され、取扱可能な何れの媒体よりも幅方向の長さが長い収容空間と、取扱可能な何れの媒体よりも幅方向の長さが長い搬送路を有し、入出部の収容空間に投入された媒体の幅方向と交差する方向を進行方向として、該媒体を搬送路に沿って搬送する搬送部と、搬送部により搬送される媒体が再利用可能であるか否かを鑑別する鑑別部と、鑑別部により再利用可能と鑑別され搬送部により搬送された媒体を集積して収納し、また媒体を分離して繰り出す収納部と、使用者に情報を通知する通知部と、搬送路上の媒体が、鑑別部において幅方向の何れか一方に偏っていると鑑別された幅偏位媒体であった場合、該幅偏位媒体を搬送部により入出部へ搬送させると共に、通知部により使用者に対し幅偏位媒体の幅方向に関する位置の偏りを修正して入出部へ再度投入するよう通知させる制御部とを設けるようにした。
【００１３】
本発明は、媒体が幅偏位媒体であった場合に、これを入出部へ搬送して使用者に返却すると共に、該使用者に位置の修正を依頼することにより、媒体の幅方向に関する位置の偏りが修正された上で再度投入されることが期待できる。これにより本発明では、媒体を幅方向に関し適切な位置に合わせた状態で収納部に収納させることができ、該収納部から繰り出す場合に正常に分離して再利用することが可能となる。
【発明の効果】
【００１４】
本発明によれば、大きさが異なる複数種類の媒体を取り扱う場合における、各媒体の再利用の効率を高め得る媒体処理装置を実現できる。
【図面の簡単な説明】
【００１５】
【図１】現金自動預払機の外観構成を示す略線的斜視図である。
【図２】紙幣入出金機の構成を示す略線図である。
【図３】第１の実施の形態による紙幣入出金部の構成を示す略線的斜視図である。
【図４】紙幣収納庫の構成を示す略線図である。
【図５】鑑別部の外観構成を示す略線的斜視図である。
【図６】鑑別部の内部構成を示す略線図である。
【図７】幅方向に関する各部の位置を示す略線図である。
【図８】紙幣収納庫における紙幣の収納の様子を示す略線図である。
【図９】紙幣収納庫における紙幣の収納の様子を示す略線図である。
【図１０】入金計数処理手順を示すフローチャートである。
【図１１】第２の実施の形態による紙幣入出金部の構成を示す略線図である。
【図１２】再投入案内画面の構成を示す略線図である。
【発明を実施するための形態】
【００１６】
以下、発明を実施するための形態（以下実施の形態とする）について、図面を用いて説明する。
【００１７】
［１．第１の実施の形態］
［１−１．現金自動預払機及び紙幣入出金機の構成］
図１に外観を示すように、現金自動預払機１は、箱状の筐体２を中心に構成されており、例えば金融機関等に設置され、使用者（すなわち金融機関等の顧客）との間で入金取引や出金取引等の現金に関する取引を行うようになっている。
【００１８】
筐体２は、その前側に顧客が対峙した状態で紙幣の投入やタッチパネルによる操作等をしやすい箇所に顧客応対部３が設けられている。顧客応対部３は、カード入出口４、入出金口５、操作表示部６、テンキー７、及びレシート発行口８が設けられており、顧客との間で現金や通帳等を直接やり取りすると共に、取引に関する情報の通知や操作指示の受付を行うようになっている。
【００１９】
カード入出口４は、キャッシュカード等の各種カードが挿入または排出される部分である。カード入出口４の筐体内側には、各種カードに磁気記録された口座番号等の読み取りを行うカード処理部（図示せず）が設けられている。入出金口５は、筐体２を貫通した孔状に構成されており、顧客により入金する紙幣が投入されると共に、顧客へ出金する紙幣が排出される部分となっている。また入出金口５は、シャッタ５Ａにより開放又は閉塞されるようになっている。
【００２０】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２１】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２２】
筐体２内には、現金自動預払機１全体を統括制御する主制御部９や、媒体としての紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２３】
紙幣入出金機１０は、図２に模式的な側面図を示すように、紙幣制御部１１、紙幣入出金部１２、搬送部１３、鑑別部１４、紙幣を一時的に収納する一時保留部１５、複数の紙幣収納庫１６及びリジェクト庫１７等が設けられている。
【００２４】
紙幣制御部１１は、主制御部９と同様、図示しないＣＰＵを中心に構成されており、図示しないＲＯＭやフラッシュメモリ等から所定のプログラムを読み出して実行することにより、全体を統括的に制御し、また紙幣の搬送先を決定する処理や各部の動作を制御する処理等、種々の処理を行う。
【００２５】
また紙幣制御部１１は、内部にＲＡＭ及びフラッシュメモリ等でなる記憶部を有しており、この記憶部に種々の情報を記憶させる。例えば紙幣制御部１１は、取扱可能な紙幣の正常な画像データや金種ごとの各辺の長さ等を記憶している。
【００２６】
紙幣入出金部１２は、紙幣入出金機１０における前上部に位置しており、図３に斜視図を示すように、その内部に紙幣を収容するための収容空間１２Ａが形成されている。収容空間１２Ａは、上側が開放された直方体状に形成されている。この収容空間１２Ａには、長方形の紙葉状に形成された複数の紙幣が、それぞれの紙面をほぼ前後方向に向けると共に長辺を上下にそれぞれ位置させた姿勢で、互いの紙面を前後方向に重ねた状態で収容される。
【００２７】
この紙幣入出金部１２は、収容空間１２Ａにおける左右方向（以下これを幅方向とも呼ぶ）の大きさが、左右それぞれに設けられたサイドガイド１２Ｇにより規定されている。各サイドガイド１２Ｇは、それぞれの取付位置を左右方向に変更することができる。このため紙幣入出金部１２は、その製造時等に、設置される国や地域において取り扱われる紙幣のうち長辺の長さが最大となる紙幣に合わせて、各サイドガイド１２Ｇの取付位置が適切に設定される。
【００２８】
また紙幣入出金部１２（図２）は、収容空間１２Ａの上側に開閉可能なシャッタ１２Ｂを配置しており、入出金口５（図１）のシャッタ５Ａ及びこのシャッタ１２Ｂを連動して開閉させることにより、収容空間１２Ａを外部と連通させ、又は該収容空間１２Ａを外部から遮蔽するようになっている。このため紙幣入出金部１２は、シャッタ５Ａと連動してシャッタ１２Ｂを開放させた場合に、顧客に紙幣を収容空間１２Ａへ投入させること及び該顧客に該収容空間１２Ａから紙幣を取り出させること、すなわち該顧客との間で紙幣を授受することができる。
【００２９】
さらに紙幣入出金部１２には、収容空間１２Ａの前下側に分離部１２Ｃが設けられると共に、該収容空間１２Ａの後下側に放出部１２Ｄが設けられている。分離部１２Ｃは、収容空間１２Ａ内に収容されている紙幣を１枚ずつに分離し、下側に配置された搬送部１３に引き渡す。放出部１２Ｄは、後側に配置された搬送部１３から受け取った紙幣を収容空間１２Ａ内へ放出することにより、該紙幣を該収容空間１２Ａ内に集積させて収容する。因みに紙幣入出金部１２には、収容空間１２Ａ内における紙幣の有無や、該収容空間１２Ａ内に顧客の手が挿入されているか否か等を検出する種々のセンサが設けられている。このセンサは、得られた検知結果を紙幣制御部１１へ供給するようになっている。
【００３０】
搬送部１３（図２）は、紙幣を案内する搬送ガイドや多数の回転する搬送ローラ、或いは走行するベルト等が適宜配置されることにより、紙幣を搬送する搬送路Ｗ（図中に実線で示す）を形成している。また搬送部１３は、複数の搬送路Ｗが接続された箇所に紙幣の進行方向を切り替える切替器が適宜設けられており、紙幣制御部１１の制御に基づいて紙幣の搬送経路を切り替えるようになっている。
【００３１】
具体的に搬送部１３は、各ローラを適宜回転させ、また各ベルトを適宜走行させ、さらに各切替器を適宜切り替えることにより、搬送路Ｗに沿って紙幣を各部へ搬送する。このとき搬送部１３は、紙幣の長辺を進行方向の先端及び末端に位置させて、該長辺をほぼ左右方向（すなわち幅方向）に沿わせた姿勢で、該紙幣を短辺に沿った方向へ、すなわち幅方向と交差する方向へ進行させる。
【００３２】
鑑別部１４は、搬送部１３の搬送路Ｗと連続する鑑別搬送路１４Ｗを内部に形成しており、この鑑別搬送路１４Ｗに沿って、イメージセンサを含む複数種類のセンサが組み込まれている（詳しくは後述する）。この鑑別部１４は、紙幣から各センサにより得られた信号や画像データ等を鑑別結果として紙幣制御部１１へ供給する。これに応じて紙幣制御部１１は、得られた鑑別結果を基に紙幣の金種、真偽、正損（損傷しているか否か）等を判別した上で、該紙幣の搬送先を決定し、さらに搬送部１３の切替器を適宜切り替えさせる。
【００３３】
一時保留部１５は、いわゆるテープエスクロ方式を採用しており、回転可能な円筒状のドラムやこのドラムの周側面に一端が固定された１本以上のテープ等を有している。この一時保留部１５は、搬送部１３から受け取った紙幣を収納する場合、ドラムを所定の巻付方向に回転させ、該紙幣をテープと共に該ドラムの周側面に巻き付けることにより当該紙幣を収納する。また一時保留部１５は、収納している紙幣を繰り出す場合、ドラムを巻付方向と反対の巻戻方向に回転させ、周側面からテープを引き剥がすことにより、当該紙幣をドラムの周側面から引き剥がして繰り出し、搬送部１３に引き渡す。
【００３４】
各紙幣収納庫１６は、何れも同様に構成されており、内部に紙幣を集積して収納する収納空間を有すると共に、紙幣をこの収納空間内へ放出して集積し、又は集積された紙幣を１枚ずつに分離して繰り出す分離集積部を有している（詳しくは後述する）。この紙幣収納庫１６は、鑑別部１４及び紙幣制御部１１により損傷の程度が小さく再利用が可能であると判断された紙幣が、その金種に応じて搬送部１３により搬送されてくると、当該紙幣を内部に集積して収納する。また紙幣収納庫１６は、紙幣制御部１１から紙幣を繰り出す指示を受け付けると、集積している紙幣を１枚ずつに分離して繰り出し、搬送部１３へ引き渡す。
【００３５】
リジェクト庫１７は、紙幣収納庫１６と一部類似した構成となっており、その内部に紙幣を収納するための収納空間を有している。このリジェクト庫１７は、鑑別部１４及び紙幣制御部１１により損傷の程度が大きく再利用すべきで無いと判断された紙幣（いわゆるリジェクト紙幣）が搬送部１３により搬送されてくると、当該紙幣を内部空間へ放出して収納する。
【００３６】
例えば、現金自動預払機１が顧客との間で入金取引を行う場合、紙幣入出金機１０は、前段の処理として顧客から受け取った紙幣の計数等を行う入金計数処理を行い、後段の処理としてこの紙幣を金種等に応じて紙幣収納庫１６等に収納させる入金収納処理を行うようになっている。
【００３７】
具体的に紙幣入出金機１０の紙幣制御部１１は、前段の入金計数処理において、まず主制御部９等と連携しながら、操作表示部６を介して所定の操作入力を受け付けた後、入出金口５（図１）のシャッタ５Ａと共に紙幣入出金部１２のシャッタ１２Ｂを開放させ、顧客に紙幣を収容空間１２Ａ内へ投入させる。
【００３８】
続いて紙幣入出金部１２は、入出金口５のシャッタ５Ａ及びシャッタ１２Ｂを閉塞してから、分離部１２Ｃにより紙幣を１枚ずつに分離して下側の搬送部１３へ引き渡す。搬送部１３は、受け取った紙幣を後方へ搬送すると共に鑑別部１４により鑑別させ、得られた鑑別結果を紙幣制御部１１へ通知する。これに応じて紙幣制御部１１は、各紙幣の搬送先を決定する。
【００３９】
このとき搬送部１３は、鑑別部１４において取扱可能であり正常と鑑別された紙幣（いわゆる正券）を一時保留部１５へ搬送して収納させる。また搬送部１３は、いわゆる損券や偽券のように、取引すべきでないと鑑別された紙幣（以下これを入金リジェクト紙幣と呼ぶ）を、紙幣入出金部１２の放出部１２Ｄへ搬送する。これに応じて紙幣入出金部１２は、搬送されてきた紙幣を放出部１２Ｄにより収容空間１２Ａ内へ放出して集積させる。
【００４０】
その後紙幣入出金部１２は、入出金口５のシャッタ５Ａと共にシャッタ１２Ｂを開放することにより、顧客に紙幣を取り出させて確認させた後、必要に応じて紙幣を再度投入させる。ここで紙幣が再度投入された場合、紙幣入出金部１２は、同様の処理を繰り返す。
【００４１】
その後紙幣制御部１１は、操作表示部６（図１）を介して顧客により入金金額を確定する操作を受け付けると、前段の入金計数処理を終了すると共に、後段の入金収納処理を開始する。具体的に紙幣制御部１１は、一時保留部１５に収納している紙幣を順次繰り出し、搬送部１３により搬送して鑑別部１４によりそれぞれの金種及び損傷の程度等を鑑別させ、その鑑別結果を取得する。
【００４２】
続いて紙幣制御部１１は、紙幣の損傷の程度が小さければ、これを再利用可能な紙幣とし、その金種に応じた紙幣収納庫１６へ搬送して収納させる。また紙幣制御部１１は、紙幣の損傷の程度が大きければ、これを再利用すべきでないリジェクト紙幣として、リジェクト庫１７へ搬送して収納させる。
【００４３】
また、例えば現金自動預払機１が顧客との間で出金取引を行う場合、紙幣入出金機１０の紙幣制御部１１は、出金処理を行う。具体的に紙幣制御部１１は、主制御部９等と連携しながら、操作表示部６（図１）等を介して出金額等の操作入力を受け付けた後、この出金額に応じた金種及び枚数の紙幣を紙幣収納庫１６から順次繰り出させる。
【００４４】
続いて紙幣制御部１１は、この紙幣を搬送部１３により鑑別部１４へ搬送して鑑別させた上で紙幣入出金部１２の放出部１２Ｄへ搬送する。これに応じて紙幣入出金部１２は、搬送されてきた紙幣を放出部１２Ｄにより収容空間１２Ａ内へ放出して集積させた後、入出金口５（図１）のシャッタ５Ａと共にシャッタ１２Ｂを開放して、紙幣を顧客に取り出させる。
【００４５】
このように紙幣入出金機１０は、入金取引において紙幣入出金部１２に投入された紙幣の左右方向（すなわち幅方向）に関する位置を殆ど変更すること無く、搬送部１３により鑑別部１４を通る搬送経路に沿って紙幣収納庫１６へ搬送し、他の紙幣と共に集積した状態で収納させるようになっている。また紙幣入出金機１０は、出金取引において、紙幣収納庫１６に集積した状態で収納されている紙幣を１枚ずつに分離して繰り出し、出金するようになっている。
【００４６】
［１−２．紙幣収納庫の構成］
次に、紙幣収納庫１６（図２）の構成について説明する。紙幣収納庫１６は、図４（Ａ）に模式的な側面図を示すと共に、そのＡ１−Ａ２断面図を図４（Ｂ）に示すように、全体として直方体状に構成されており、左側、右側、上側、下側及び後側の各側面を形成する収納庫筐体２０と、前側の側面である前扉２１とにより構成されている。
【００４７】
前扉２１は、収納庫筐体２０に対し、図示しない蝶番により開閉可能に取り付けられている。また収納庫筐体２０内における後寄りには、リバースガイド２２が設けられている。リバースガイド２２は、収納庫筐体２０内の空間を前後に仕切っており、その前側に内部空間２０Ｓを形成している。
【００４８】
内部空間２０Ｓ内には、紙幣ＢＬを上面に載置するステージ２３が設けられている。ステージ２３は、板面をほぼ水平に向けた板状に形成されており、図示しないステージ駆動部により駆動される。このステージ駆動部は、ステージ２３を上下方向へ駆動させると共に、当該ステージ２３を所望の高さ（上下方向の位置）において静止させる。また内部空間２０Ｓの上端は、収納庫筐体２０の上側板よりもやや下側に設けられた天板２０Ｃにより規定されている。さらに紙幣収納庫１６内には、ステージ２３の高さや該ステージ２３上に集積された紙幣の最上面の高さを検知するためのセンサが適宜設けられている。
【００４９】
内部空間２０Ｓ内における左右それぞれの内側面近傍には、紙幣を案内するサイドガイド２５がそれぞれ設けられている。サイドガイド２５は、収納庫筐体２０に対し、図示しない位置調整機構を介して取り付けられている。このためサイドガイド２５は、この位置調整機構によってそれぞれ左右方向へ移動されることにより、それぞれの左右方向の位置を調整し、当該サイドガイド２５同士の間隔が所望の長さに調整される。
【００５０】
このように内部空間２０Ｓの内部には、ステージ２３の上側に、天板２０Ｃ、リバースガイド２２、前扉２１及び左右それぞれのサイドガイド２５により規定される、当該内部空間２０Ｓよりも一回り小さな直方体状の空間が形成される。この空間には、紙幣がステージ２３上に順次集積されながら収納されていく。以下、この空間を収納空間２０ＳＣと呼ぶ。このため、収納空間２０ＳＣにおける左右方向（幅方向）の大きさは、各サイドガイド２５の取付位置により規定されることになる。
【００５１】
収納空間２０ＳＣにおける前上方、すなわち前扉２１の後面における上端近傍には、ビルストッパ２６が設けられている。ビルストッパ２６は、小さな直方体状に形成されており、前扉２１の後面に対し、図示しない弾性体を介して取り付けられている。
【００５２】
内部空間２０Ｓの後側における上寄りの部分には、分離放出部３０が設けられている。分離放出部３０は、紙幣を搬送する搬送ガイド３１、フィードローラ３２、テンションローラ３３、舌片ローラ３４及びピッカローラ３５により構成されている。
【００５３】
搬送ガイド３１は、後上側及び前下側の間で紙幣を案内して進行させる。フィードローラ３２、テンションローラ３３及びピッカローラ３５は、何れも中心軸を左右方向に向けた円板状に構成されており、図示しない回転軸を中心に回転し得るようになっている。テンションローラ３３は、フィードローラ３２に向けて付勢されている。またフィードローラ３２及びピッカローラ３５は、周側面の一部に、紙幣との間に高い摩擦力を発生させる高摩擦部材が取り付けられている。因みに分離放出部３０には、それぞれの回転軸に対し、左右方向に互いに離れた４箇所に、フィードローラ３２、テンションローラ３３及びピッカローラ３５がそれぞれ配置されている。
【００５４】
舌片ローラ３４は、テンションローラ３３と共通の回転軸（図示せず）に取り付けられた中心部分と、この中心部分から外方へ向けて放射状に伸びた複数の舌片とにより構成されている。各舌片は、例えば樹脂材料によって構成されており、可撓性を有している。因みに分離放出部３０には、テンションローラ３３の回転軸に対し、該テンションローラ３３同士の間に舌片ローラ３４が適宜取り付けられている。
【００５５】
紙幣収納庫１６は、紙幣を収納する場合、まずステージ２３を適宜下降させることにより、該ステージ２３上に集積された紙幣の最上面を天板２０Ｃからある程度引き離した状態として、分離放出部３０の前下方に十分な大きさの収納空間２０ＳＣを形成する。分離放出部３０は、各ローラを適宜回転させた上で、搬送部１３（図２）から受け取った紙幣を搬送ガイド３１に沿って前下方へ案内し、フィードローラ３２及びテンションローラ３３に挟持させる。
【００５６】
フィードローラ３２及びテンションローラ３３は、それぞれの回転により紙幣を前方へ進行させ、収納空間２０ＳＣ内へ放出する。放出された紙幣は、ビルストッパ２６に当接して衝撃が吸収された上で、舌片ローラ３４により下方へ叩き付けられると共に後方へ引き寄せられ、ステージ２３の上又は該ステージ２３上に既に集積されている紙幣の上に集積される。このとき紙幣は、搬送部１３から紙幣収納庫１６に引き渡された後、左右方向の位置を概ね維持したまま、ステージ２３上に集積される。
【００５７】
また紙幣収納庫１６は、紙幣を繰り出す場合、まずステージ２３を上昇させることにより、ステージ２３上に集積された紙幣の最上面をピッカローラ３５の下端に当接させた状態とする。これと共に紙幣収納庫１６は、分離放出部３０のピッカローラ３５及びフィードローラ３２を収納時とは反対方向へ回転させると共にテンションローラ３３を静止させる。
【００５８】
分離放出部３０は、まずピッカローラ３５により最上面及びその近傍の紙幣を後方へ送り出し、続いてフィードローラ３２及びテンションローラ３３により最上面の紙幣を他の紙幣から分離しながら後方へ送り出し、搬送ガイド３１により後上方へ案内して、搬送部１３に引き渡す。このとき分離放出部３０は、高摩擦部材が周側面の一部にのみ設けられているため、紙幣同士の間隔を適宜空けながら、１枚ずつ繰り出すことができる。
【００５９】
このように紙幣収納庫１６は、左右のサイドガイド２５により左右方向（幅方向）の範囲が規定された収納空間２０ＳＣ内に紙幣ＢＬを集積して収納し、またこの収納空間２０ＳＣに集積された状態で収納されている紙幣を１枚ずつに分離して順次繰り出すようになっている。
【００６０】
［１−３．鑑別部の構成］
図５に斜視図を示すと共に図６に模式的な左側面図を示すように、鑑別部１４は、鑑別部筐体４０内に前後方向に沿って鑑別搬送路１４Ｗを形成している。鑑別搬送路１４Ｗの上下には、紙幣を案内する上搬送ガイド４１Ａ及び下搬送ガイド４１Ｂがそれぞれ配置されている。上搬送ガイド４１Ａは、上下方向に薄い板状に構成されると共に、その下面が平坦に形成されている。また上搬送ガイド４１Ａには、複数の孔部が適宜形成されており、各孔部を介して後述するローラや各種センサの一部を鑑別搬送路１４Ｗ内に露出させている。下搬送ガイド４１Ｂは、上搬送ガイド４１Ａと概ね上下対称に構成されている。
【００６１】
鑑別部筐体４０の内部には、前側から後側へ向けて、搬送ローラ対４２、厚みセンサ部４３、搬送ローラ対４４、イメージセンサ部４５、搬送ローラ対４６、磁気センサ４７部及び搬送ローラ対４８が順次配置されている。
【００６２】
搬送ローラ対４２は、鑑別搬送路１４Ｗの上側に配置された駆動ローラ４２Ａと、該鑑別搬送路１４Ｗの下側に配置された従動ローラ４２Ｂとの組合せにより構成されている。駆動ローラ４２Ａは、中心軸を左右方向に沿わせた円板状に形成されており、図示しない駆動モータから駆動力が伝達されることにより回転する。従動ローラ４２Ｂは、駆動ローラ４２Ａと同様に中心軸を左右方向に沿わせた円板状に形成されており、上方の駆動ローラ４２Ａに押し付けられると共に、自在に回転し得るようになっている。因みに鑑別部筐体４０には、複数の搬送ローラ対４２が、左右方向に離間した複数箇所にそれぞれ配置されている。
【００６３】
搬送ローラ対４４、４６及び４８は、何れも搬送ローラ対４２と同様に構成されている。このため鑑別部１４は、搬送ローラ対４２、４４、４６及び４８により、紙幣を鑑別搬送路１４Ｗに沿って、前方向又は後方向へ搬送することができる。
【００６４】
厚みセンサ部４３は、上側に配置され上下方向に変位可能な変位ローラ部４３Ａと、その下側に配置されその位置を不変とする支持ローラ部４３Ｂとにより構成されている。変位ローラ部４３Ａは、図示しないスプリングにより支持ローラ部４３Ｂに押し付けられている。かかる構成により厚みセンサ部４３は、鑑別搬送路１４Ｗに沿って搬送される紙幣の厚さに応じて変位ローラ部４３Ａを上下方向に変位させ、このときの変位量を該紙幣の厚み量として検知し、得られた厚み量を鑑別結果の一部として紙幣制御部１１（図２）へ送信する。
【００６５】
イメージセンサ部４５は、上側に配置された上イメージセンサ４５Ａ及び下側に配置された下イメージセンサ４５Ｂにより構成されている。上イメージセンサ４５Ａは、いわゆるラインセンサとなっており、撮像素子が左右方向に沿って線状に配置された構成となっている。この上イメージセンサ４５Ａは、鑑別搬送路１４Ｗに沿って搬送される紙幣の上面を順次撮像して画像データを生成し、これを紙幣制御部１１（図２）へ供給する。また下イメージセンサ４５Ｂは、上イメージセンサ４５Ａと概ね上下対称に構成されており、鑑別搬送路１４Ｗに沿って搬送される紙幣の下面を順次撮像して画像データを生成し、これを鑑別結果の一部として紙幣制御部１１（図２）へ送信する。
【００６６】
磁気センサ部４７は、上側に配置された磁気センサ４７Ａと、下側に配置された付勢ローラ４７Ｂとにより構成されている。付勢ローラ４７Ｂは、自在に回転し得るように構成されており、且つ上方向へ付勢されている。磁気センサ４７Ａは、その下面に磁気を検知する磁気ヘッドが取り付けられている。このため磁気センサ部４７は、鑑別搬送路１４Ｗに沿って搬送される紙幣から磁気を読み取って磁気検知信号を生成し、これを鑑別結果の一部として紙幣制御部１１（図２）へ送信する。
【００６７】
これに応じて紙幣制御部１１（図２）は、鑑別部１４から得られる鑑別結果（すなわち厚み量、画像データ及び磁気検知信号）を基に、紙幣の搬送状態、真偽、金種及び正損等を判断し、該紙幣の搬送先を決定する。
【００６８】
［１−４．幅方向に関する紙幣の位置］
ところで紙幣入出金機１０は、上述したように、複数の種類（すなわち金種）の紙幣を取り扱うようになっている。多くの場合、紙幣の大きさ（長辺及び短辺の長さ）は、金種ごとに異なっている。また紙幣入出金機１０では、上述したように、紙幣の長辺を左右方向に沿わせ、その短辺に沿った方向を進行方向として、すなわち各長辺をそれぞれ先頭及び末尾として、該紙幣の搬送、収納及び繰出等を行うようになっている。
【００６９】
このため紙幣入出金機１０では、図７（Ａ）に示すように、取扱可能な紙幣ＢＬのうち長辺の長さが最も大きい紙幣（以下これを最大長辺紙幣ＢＬＭＡＸと呼ぶ）における長辺の長さ（以下これを最大長辺長ＬＭＡＸと呼ぶ）に合わせて、各部における左右方向（すなわち幅方向）の大きさが規定されている。
【００７０】
また説明の都合上、以下では、図７（Ｂ）に示すように、紙幣入出金機１０において取扱可能な紙幣のうち長辺の長さが最も小さい紙幣を最小長辺紙幣ＢＬＭＩＮと呼び、その長辺の長さを最小長辺長ＬＭＩＮと呼ぶ。これに加えて以下では、説明の都合上、幅方向の中央部分において、最小長辺長ＬＭＩＮよりも僅かに長く、且つ最大長辺長ＬＭＡＸよりも十分に短い、中央部長さＬＣを規定する。さらに以下では、中央部長さＬＣの両端に相当する幅方向の位置をそれぞれ境界位置ＷＥとも呼ぶ。すなわち中央部長さＬＣ及び各境界位置ＷＥは、最小長辺長ＬＭＩＮを基に定められる。
【００７１】
紙幣入出金機１０では、図７（Ｃ）に模式的に示すように、紙幣入出金部１２におけるサイドガイド１２Ｇの取付位置が適切に調整されることにより、該サイドガイド１２Ｇ同士の間隔であり、収容空間１２Ａにおける左右方向（すなわち幅方向）の長さであるガイド間隔ＬＧが、最大長辺長ＬＭＡＸよりも僅かに長くなっている。以下では、サイドガイド１２Ｇの内側面に相当する幅方向の位置をガイド位置ＷＧとも呼ぶ。また以下では、ガイド位置ＷＧから境界位置ＷＥまでの長さを外部長さＬＥと呼ぶ。
【００７２】
これと同様に紙幣入出金機１０では、図７（Ｆ）に模式的に示すように、紙幣収納庫１６におけるサイドガイド２５の取付位置が適切に調整されることにより、該サイドガイド２５同士の間隔が紙幣入出金部１２と同等のガイド間隔ＬＧに設定されている。換言すれば、サイドガイド２５は、その内側面をガイド位置ＷＧに合わせるように取り付けられている。
【００７３】
ところで図７（Ｂ）は、最小長辺紙幣ＢＬＭＩＮにおける左右の中心が、収容空間１２Ａ等における左右方向の中心を表す搬送中心線ＷＣと一致した状態、すなわち最小長辺紙幣ＢＬＭＩＮが収容空間１２Ａ等における左右方向の中央に位置した状態を表している。
【００７４】
ここで図７（Ｅ）に示すように、長辺の長さが最小長辺紙幣ＢＬＭＩＮと同程度であり、中央部長さＬＣよりも十分に短い短紙幣ＢＬＳが、収容空間１２Ａ等に対して左右方向（すなわち幅方向）に偏った位置にある場合を想定する。この短紙幣ＢＬＳは、左右方向に関する一方の端部が境界位置ＷＥよりも外側に、すなわち外部長さＬＥに相当する部分に到達している。
【００７５】
このように長辺の長さが比較的短い短紙幣ＢＬＳが、収容空間１２Ａ等に対して左右方向に偏った位置にある場合、紙幣収納庫１６では、この短紙幣ＢＬＳを収納すると、出金取引において出金する際に、正常に繰り出し得なくなる恐れがある。
【００７６】
例えば図８（Ａ）及び（Ｂ）に示すように、紙幣収納庫１６の収納空間２０ＳＣ内において、収納時に短紙幣ＢＬＳが右側又は左側に偏った位置にある状態で、順次集積された場合を想定する。この紙幣収納庫１６では、ステージ２３上の左右方向に関するそれぞれの位置における紙幣の集積枚数に着目すると、中央付近が最も多く、左右の外方がこれよりも少なくなっている。このため紙幣収納庫１６では、見かけ上、ステージ２３上に集積された紙幣（短紙幣ＢＬＳ）のうち左右の中央付近が上方へ突出するように盛り上がり、その周囲がこれよりも低くなっている。
【００７７】
このような紙幣収納庫１６では、出金取引等において短紙幣ＢＬＳを繰り出す場合、ステージ２３を上方へ持ち上げたとしても、左右方向の中央部分のみが天板２０Ｃに到達するため、ピッカローラ３５の下端に対し紙幣を十分に押し付けることができず、短紙幣ＢＬＳを後方へ正常に送り出し得ない恐れがある。またこの場合、２枚以上の短紙幣ＢＬＳを同時に後方へ送り出してしまい、１枚ずつに分離できない恐れもある。
【００７８】
また、図９（Ａ）及び（Ｂ）に示すように、紙幣収納庫１６の収納空間２０ＳＣ内において、収納時に短紙幣ＢＬＳが左右方向のほぼ中央に整然と集積された上に、新たに集積された紙幣が右方向に偏っていたために右端近傍が最上面から垂れ下がっていた場合を想定する。この紙幣収納庫１６では、出金取引等において短紙幣ＢＬＳを繰り出す場合、最上面の短紙幣ＢＬＳのうち垂れ下がっている部分が、収納空間２０ＳＣの後側面を形成するリバースガイド２２に引っ掛かることになり、正常に後方へ送り出すことができない。
【００７９】
そこで紙幣入出金機１０では、入金取引における前段の入金計数処理等において、長辺の長さが比較的短い短紙幣ＢＬＳが左右方向（すなわち幅方向）に偏っていた場合（以下このような紙幣を幅偏位紙幣又は幅偏位媒体と呼ぶ）、その偏りの解消を図るようになっている。
【００８０】
具体的に紙幣入出金機１０では、図７（Ｄ）に示すように、鑑別部１４の上イメージセンサ４５Ａにおいて、撮像領域ＳＡのうち左右方向（すなわち幅方向）に関し、境界位置ＷＥよりも内側の範囲、すなわち中央部長さＬＣの範囲を中央部領域ＳＡＣとし、該境界位置ＷＥよりも外側の範囲を外部領域ＳＡＥとしている。
【００８１】
そのうえで紙幣入出金機１０は、紙幣入出金部１２（図３）に投入された紙幣が短紙幣ＢＬＳであり、且つ左右方向の位置が偏っていると判断した場合、具体的には上イメージセンサ４５Ａから得られた画像データにおいて短紙幣ＢＬＳの一部が外部領域ＳＡＥに到達していた場合に、このような偏位の解消を図るための処理を行う。
【００８２】
［１−５．入金計数処理手順］
次に、紙幣入出金機１０において入金取引の前段部分として行う入金計数処理の詳細な処理手順について説明する。
【００８３】
紙幣入出金機１０の紙幣制御部１１は、主制御部９（図１）から入金計数処理の開始指示を受け付けると、記憶部から入金計数処理プログラムを読み出して実行することにより、図１０に示す入金計数処理手順ＲＴ１を開始してステップＳＰ１へ移る。ステップＳＰ１において紙幣制御部１１は、主制御部９と連携することにより、入出金口５のシャッタ５Ａ（図１）と共に紙幣入出金部１２のシャッタ１２Ｂを開放し、次のステップＳＰ２へ移る。
【００８４】
ステップＳＰ２において紙幣制御部１１は、紙幣入出金部１２に設けられたセンサから得られる検知結果を基に、収容空間１２Ａ内に紙幣が投入されたか否かを判定する。ここで否定結果が得られると、紙幣制御部１１はこのステップＳＰ２を繰り返すことにより、収容空間１２Ａ内に紙幣が投入されるのを待ち受ける。一方、ステップＳＰ２において肯定結果が得られると、紙幣制御部１１は次のステップＳＰ３へ移る。
【００８５】
ステップＳＰ３において紙幣制御部１１は、紙幣入出金部１２に設けられたセンサから得られる検知結果を基に、収容空間１２Ａの直近に顧客の手があるか否かを判定する。ここで肯定結果が得られると、このことはシャッタ１２Ｂ等を閉塞した場合に顧客の手等を挟む恐れがあることを表している。このとき紙幣制御部１１はこのステップＳＰ３を繰り返すことにより、顧客の手が収容空間１２Ａの近傍から離れるのを待ち受ける。
【００８６】
一方、ステップＳＰ３において否定結果が得られると、紙幣制御部１１は次のステップＳＰ４へ移る。ステップＳＰ４において紙幣制御部１１は、主制御部９と連携することにより、入出金口５のシャッタ５Ａ（図１）と共に紙幣入出金部１２のシャッタ１２Ｂを閉塞し、次のステップＳＰ５へ移る。
【００８７】
ステップＳＰ５において紙幣制御部１１は、紙幣入出金部１２に設けられたセンサから得られる検知結果を基に、収容空間１２Ａ内に紙幣が１枚以上残っているか否かを判定する。ここで肯定結果が得られると、このことはこの残っている紙幣を１枚ずつに分離して繰り出す処理を継続する必要があることを表している。このとき紙幣制御部１１は、次のステップＳＰ６へ移る。
【００８８】
ステップＳＰ６において紙幣制御部１１は、紙幣入出金部１２の分離部１２Ｃ（図２）により収容空間１２Ａ内の紙幣を１枚分離して搬送部１３に引き渡し、次のステップＳＰ７へ移る。ステップＳＰ７において紙幣制御部１１は、搬送部１３により紙幣（以下これを対象紙幣と呼ぶ）を搬送すると共に、鑑別部１４により該対象紙幣を鑑別させて鑑別結果を取得し、次のステップＳＰ８へ移る。
【００８９】
ステップＳＰ８において紙幣制御部１１は、鑑別部１４から得られた鑑別結果を基に金種を判定することにより、対象紙幣が短紙幣ＢＬＳであるか否か、すなわち該対象紙幣の長辺が中央部長さＬＣ（図７）よりも短いか否かを判定する。具体的に紙幣制御部１１は、まず鑑別結果を基に金種を判定し、次に予め記憶している金種に応じた長辺の長さを読み出して、この長辺の長さを中央部長さＬＣと比較する。ここで肯定結果が得られると、紙幣制御部１１は次のステップＳＰ９へ移る。
【００９０】
ステップＳＰ９において紙幣制御部１１は、鑑別部１４から得られた鑑別結果のうち上イメージセンサ４５Ａから得られた画像データを基に、紙幣の一部が境界位置ＷＥよりも外側の外部領域ＳＡＥ（図７）に到達しているか否かを判定する。ここで肯定結果が得られると、このことは対象紙幣が右側又は左側に偏った幅偏位紙幣であるために、仮にそのまま紙幣収納庫１６に収納した場合には以降の出金処理等において該幅偏位紙幣を正常に繰り出せない恐れがあることを表している（図８及び図９）。このとき紙幣制御部１１は、次のステップＳＰ１０へ移る。
【００９１】
ステップＳＰ１０において紙幣制御部１１は、搬送部１３（図２）に設けられた切替器を適宜切り替えることにより、対象紙幣を紙幣入出金部１２の後側へ搬送し、放出部１２Ｄから収容空間１２Ａ内へ放出させ、次のステップＳＰ１１へ移る。
【００９２】
ステップＳＰ１１において紙幣制御部１１は、主制御部９（図１）と連携することにより、操作表示部６に再投入画面を表示させる。この再投入画面には、例えば「紙幣を中央に揃えて投入し直して下さい」といったメッセージが表示されている。さらに紙幣制御部１１は、再度ステップＳＰ１へ戻ることにより、紙幣入出金部１２のシャッタ１２Ｂ等を開放させて顧客に紙幣を再投入させ、一連の処理を繰り返す。
【００９３】
一方、ステップＳＰ８において否定結果が得られると、このことは対象紙幣の長辺が比較的長く、ガイド間隔ＬＧ（図７）との差分が比較的小さいために、左右方向への偏りがあったとしてもその度合が比較的小さく収まることを表している。この場合、紙幣収納庫１６では、対象紙幣をそのまま収納することにより概ね正常に集積でき、以降の出金取引等においても正常に繰り出し得る可能性が高い。このため紙幣制御部１１は、次のステップＳＰ１２へ移る。
【００９４】
また、ステップＳＰ９において否定結果が得られると、このことは短紙幣ＢＬＳ（図７）である対象紙幣が境界位置ＷＥよりも内側にあり中央部領域ＳＡＣの範囲内に収まっているため、紙幣収納庫１６へ搬送して収納した場合に正常に集積でき、また以降の出金取引等において正常に繰り出し得ることを表している。このとき紙幣制御部１１は、次のステップＳＰ１２へ移る。
【００９５】
ステップＳＰ１２において紙幣制御部１１は、搬送部１３の各切替器を適宜切り替えることにより、対象紙幣を一時保留部１５へ搬送して収納させた後、再度ステップＳＰ５へ移って一連の処理を繰り返す。
【００９６】
また、ステップＳＰ５において否定結果が得られると、このことは収容空間１２Ａ内の紙幣を全て繰り出したことを表している。このとき紙幣制御部１１は、次のステップＳＰ１３へ移り、入金計数処理手順ＲＴ１を終了する。
【００９７】
［１−６．効果等］
以上の構成において、第１の実施の形態による現金自動預払機１の紙幣入出金機１０は、入金計数処理において、対象紙幣が短紙幣ＢＬＳ（図７）であり、且つその一部が外部領域ＳＡＥに到達した幅偏位紙幣であった場合、該対象紙幣を紙幣入出金部１２へ戻して顧客に再投入させる。
【００９８】
すなわち紙幣入出金機１０は、短紙幣ＢＬＳが幅偏位紙幣であった場合、再投入画面に表示されるメッセージを見た顧客により、該短紙幣ＢＬＳが収容空間１２Ａから一度取り出され、幅方向の中央に合わせて再投入されることが期待できる。
【００９９】
このため紙幣入出金機１０は、短紙幣ＢＬＳについて、幅方向のほぼ中央に位置する状態、具体的には左右の境界位置ＷＥよりも内側にあり中央部領域ＳＡＣの範囲内に収まった状態のもののみを紙幣収納庫１６へ搬送することができ、収納空間２０ＳＣ（図４）内における幅方向の中央部分に、整然と集積できる。
【０１００】
これにより紙幣入出金機１０は、以降の出金取引等において、紙幣収納庫１６から紙幣を正常に繰り出し得なくなる恐れ（図８及び図９）を排除でき、安定的に紙幣を繰り出すこと、すなわち出金取引等を正常に行うことができる。
【０１０１】
これを他の観点から見れば、仮に紙幣入出金機１０内に紙幣の左右方向（幅方向）に関する位置を機械的に修正するための幅偏位修正機構を設けた場合、幅偏位紙幣の幅方向に関する位置を左右の境界位置ＷＥ（図７）の内側に収めるよう、自動的に修正することが可能となる。しかしながらこの場合、幅偏位修正機構を追加するための製造コストが増加し、また機構の複雑化に伴う保守等の手間も増加し、さらには現金自動預払機１における可用性の低下に繋がる恐れも生じてしまう。
【０１０２】
これに対し本実施の形態による紙幣入出金機１０では、幅偏位紙幣を入金リジェクト紙幣と同様に紙幣入出金部１２から顧客へ返却するため、該顧客の手を借りることにより、製造や保守等におけるコストの増加を招くことなく、短紙幣ＢＬＳの位置を概ね中央に合わせるよう修正することができる。
【０１０３】
また一般に、現金自動預払機１における入金取引では、顧客により入金された紙幣の一部が入金リジェクト紙幣として返却されることが度々生じており、顧客が紙幣を再投入する操作に慣れている。このため現金自動預払機１では、顧客に比較的慣れた作業を行わせるだけで良く、不慣れな作業を強いることが無い。
【０１０４】
また紙幣入出金機１０では、鑑別部１４の上イメージセンサ４５Ａから得られる画像データ等を基に、対象紙幣が短紙幣ＢＬＳであるか否か、及びその一部が外部領域ＳＡＥに到達しているか否かを判断することができるので、該鑑別部１４に専用のイメージセンサや位置センサ等を追加する必要が無い。
【０１０５】
ところで従来の紙幣入出金機では、入金計数処理において、顧客に投入された紙幣の金種、正損及び真偽等を鑑別する目的で、投入された紙幣を鑑別部において鑑別していた。また従来の紙幣入出金機では、顧客に投入された紙幣が入金リジェクト紙幣であった場合、これを鑑別部から紙幣入出金部へ搬送して顧客に返却していた。
【０１０６】
このため本実施の形態による紙幣入出金機１０では、従来の紙幣入出金機と比較して、新たな鑑別部を追加する必要が無く、また入金計数処理において対象紙幣を鑑別部へ搬送するための搬送経路を設ける必要や、対象紙幣が短紙幣ＢＬＳであり且つ幅偏位紙幣であった場合に紙幣入出金部１２へ搬送するための搬送経路等を設ける必要も無い。
【０１０７】
以上の構成によれば、第１の実施の形態による現金自動預払機１の紙幣入出金機１０は、入金計数処理において、対象紙幣が短紙幣ＢＬＳであり、且つその一部が外部領域ＳＡＥに到達した幅偏位紙幣であった場合、該対象紙幣を紙幣入出金部１２へ戻して顧客に再投入させるようにした。このため紙幣入出金機１０は、短紙幣ＢＬＳを幅方向のほぼ中央に位置させた状態で紙幣収納庫１６へ搬送し、整然と集積させることができる。これにより紙幣入出金機１０は、以降の出金取引等において紙幣収納庫１６から紙幣を正常に繰り出し得なくなる恐れを排除でき、安定的に紙幣を繰り出すことができる。
【０１０８】
［２．第２の実施の形態］
第２の実施の形態による現金自動預払機１０１は、第１の実施の形態による現金自動預払機１と比較して、紙幣入出金機１０に代わる紙幣入出金機１１０を有する点において相違するものの、他の点については同様に構成されている。
【０１０９】
紙幣入出金機１１０は、第１の実施の形態による紙幣入出金機１０と比較して、紙幣制御部１１及び紙幣入出金部１２に代わる紙幣制御部１１１及び紙幣入出金部１１２を有する点において相違するものの、他の点については同様に構成されている。
【０１１０】
紙幣制御部１１１は、第１の実施の形態による紙幣制御部１１と同様、図示しないＣＰＵを中心に構成されており、図示しないＲＯＭやフラッシュメモリ等から所定のプログラムを読み出して実行することにより、全体を統括的に制御し、また紙幣の搬送先を決定する処理や各部の動作を制御する処理等、種々の処理を行う。また紙幣制御部１１１は、内部にＲＡＭ及びフラッシュメモリ等でなる記憶部を有しており、この記憶部に種々の情報を記憶させる。この紙幣制御部１１１は、入金計数処理において、第１の実施の形態と一部異なる処理を行うようになっている（詳しくは後述する）。
【０１１１】
紙幣入出金部１１２は、図３と対応する図１１（Ａ）に示すように、第１の実施の形態による紙幣入出金部１２と比較して、収容空間１２Ａの前側及び後側に、位置案内ラベル１１２Ｌがそれぞれ貼り付けられている点において相違するものの、他の点については同様に構成されている。
【０１１２】
位置案内ラベル１１２Ｌは、図１１（Ｂ）に平面図として示すように、例えば金属や樹脂等でなる板状部材として構成されており、左右方向（すなわち幅方向）に関してほぼ中央に貼り付けられており、顧客から容易に視認され得るようになっている。また位置案内ラベル１１２Ｌの両端近傍には、位置マークＭが配置されている。この位置マークＭは、幅方向に関して、境界位置ＷＥに相当する位置、すなわち鑑別部１４の上イメージセンサ４５Ａ（図７）における中央部領域ＳＡＣ及び外部領域ＳＡＥの境界と対応する位置に設けられている。
【０１１３】
このため位置案内ラベル１１２Ｌは、顧客に短紙幣ＢＬＳを幅方向の中央部分に合わせて投入させる場合に、位置マークＭを位置合わせの目安として利用させることができる。因みに位置マークＭは、位置案内ラベル１１２Ｌに対し、例えば赤色のような容易に視認し得る色の塗料が塗布されることにより、記されている。
【０１１４】
また紙幣制御部１１１は、入金計数処理において、第１の実施の形態と同様に、入金計数処理手順ＲＴ１（図１０）に従った処理を順次行う。ただし紙幣制御部１１１は、ステップＳＰ１１において、第１の実施の形態とは異なり、図１２に示す再投入案内画面Ｄ２を操作表示部６（図１）に表示させるようになっている。
【０１１５】
この再投入案内画面Ｄ２は、顧客の視点から見た紙幣入出金部１１２及びその周辺部分を画像として表しており、さらに人の手により紙幣の位置を位置案内ラベル１１２Ｌの位置マークＭに合わせて収容空間１２Ａ内へ投入する様子を表している。
【０１１６】
すなわち紙幣制御部１１１は、この再投入案内画面Ｄ２を操作表示部６に表示させることにより、位置案内ラベル１１２Ｌにおける２個の位置マークＭの間に収めるように、紙幣を収容空間１２Ａ内へ再投入するよう、顧客に対し画像で説明することができる。
【０１１７】
以上の構成において、第２の実施の形態による現金自動預払機１０１の紙幣入出金機１１０は、第１の実施の形態と同様、入金計数処理において、対象紙幣が短紙幣ＢＬＳ（図７）であり、且つその一部が外部領域ＳＡＥに到達した幅偏位紙幣であった場合、該対象紙幣を紙幣入出金部１１２へ戻して顧客に再投入させる。
【０１１８】
このとき紙幣入出金機１１０は、紙幣入出金部１１２に位置案内ラベル１１２Ｌ（図１１）が貼り付けてあるため、短紙幣ＢＬＳの位置を２箇所の位置マークＭ同士の間に収めれば良いことを直感的に認識させることができる。さらに紙幣入出金機１１０は、操作表示部６に再投入案内画面Ｄ２（図１２）を表示することにより、短紙幣ＢＬＳを２箇所の位置マークＭ同士の間に収めれば良いことを、画像により容易に理解させることができる。
【０１１９】
このため紙幣入出金機１１０は、例えば様々な言語の顧客に利用されることが想定される場合であっても、各言語によるメッセージをそれぞれ表示すること無く、位置マークＭが紙幣を投入する際に合わせるべき位置を示していることを、１種類の画像のみにより適切に認識させることができる。
【０１２０】
その他の点においても、第２の実施の形態による紙幣入出金機１１０は、第１の実施の形態と同様の作用効果を奏し得る。
【０１２１】
以上の構成によれば、第２の実施の形態による現金自動預払機１０１の紙幣入出金機１１０は、入金計数処理において、対象紙幣が短紙幣ＢＬＳであり、且つその一部が外部領域ＳＡＥに到達した幅偏位紙幣であった場合、該対象紙幣を紙幣入出金部１１２へ戻して顧客に再投入させるようにした。また紙幣入出金機１１０は、紙幣入出金部１１２に位置案内ラベル１１２Ｌを設けると共に、再投入案内画面Ｄ２を操作表示部６に表示させるようにした。このため紙幣入出金機１１０は、顧客に短紙幣ＢＬＳを位置マークＭ同士の間に位置されば良いことを容易に理解させた上で再投入させることができ、該短紙幣ＢＬＳを紙幣収納庫１６において整然と集積できる。これにより紙幣入出金機１１０は、第１の実施の形態と同様、以降の出金取引等において紙幣収納庫１６から紙幣を正常に繰り出し得なくなる恐れを排除でき、安定的に紙幣を繰り出すことができる。
【０１２２】
［３．他の実施の形態］
なお上述した第１の実施の形態においては、鑑別部１４において上イメージセンサ４５Ａから得られた画像データを基に、対象紙幣の一部が外部領域ＳＡＥに到達しているか否かを判定する場合について述べた。しかしながら本発明はこれに限らず、例えば下イメージセンサ４５Ｂから得られた画像データを基に判定しても良く、或いは上イメージセンサ４５Ａから得られた画像データ及び下イメージセンサ４５Ｂから得られた画像データを組み合わせて利用することにより判定しても良い。また、厚みセンサ部４３や磁気センサ部４７から得られる検知結果や、これらと画像データとの組合せ等を基に判定しても良い。さらには、専用の光学センサ等を設けることにより判定しても良い。要は、何らかのセンサにより得られた検知結果（鑑別結果）を基に、対象紙幣の一部が外部領域ＳＡＥに到達しているか否かを判定すれば良い。第２の実施の形態についても同様である。
【０１２３】
また上述した第１の実施の形態においては、鑑別部１４において得られた鑑別結果を基に対象紙幣の金種を判別し、これに応じて予め記憶している金種ごとの幅方向の長さを読み出して中央部長さＬＣと比較することにより、対象紙幣が短紙幣ＢＬＳであるか否かを判定する場合について述べた。しかしながら本発明はこれに限らず、例えば上イメージセンサ４５Ａから得られた画像データにおいて対象紙幣が幅方向に占める範囲の長さを算出し、これを中央部長さＬＣと比較する等、他の種々の手法により、対象紙幣が短紙幣ＢＬＳであるか否かを判定しても良い。第２の実施の形態についても同様である。
【０１２４】
さらに上述した第１の実施の形態においては、鑑別部１４において得られた鑑別結果を紙幣制御部１１へ供給することにより、該紙幣制御部１１において紙幣の金種等を判別する場合について述べた。しかしながら本発明はこれに限らず、例えば鑑別部１４内に金種等の判別処理を行う判別処理部を設け、この判別処理部において鑑別結果を基に金種等を判別し、得られた判別結果を紙幣制御部１１へ供給しても良い。これにより、紙幣制御部１１の処理負荷を軽減することができる。第２の実施の形態についても同様である。
【０１２５】
さらに上述した第１の実施の形態においては、短紙幣ＢＬＳが幅偏位紙幣であり紙幣入出金部１２から顧客に返却する際に、幅方向の位置を中央に合わせて紙幣を再投入すべきことを、文字列により顧客に説明する場合について述べた。また第２の実施の形態においては、これらを位置案内ラベル１１２Ｌ（図１１）の設置及び再投入案内画面Ｄ２（図１２）の表示により顧客に通知する場合について述べた。しかしながら本発明はこれに限らず、例えば音声や動画像、或いはこれらの組合せ等、種々の手法により顧客に通知しても良い。
【０１２６】
さらに上述した第２の実施の形態においては、位置案内ラベル１１２Ｌ（図１１）の左右両端近傍に、塗料の塗布等により位置マークＭを常に視認し得る状態で表示する場合について述べた。しかしながら本発明はこれに限らず、例えば位置案内ラベル１１２Ｌにおける左右方向（幅方向）に異なる複数箇所に、互いに異なる色や形状でなる位置マークＭを複数配置しておき、対象紙幣における長辺の長さに応じた位置マークＭに合わせて紙幣を再投入する様子を表す再投入案内画面を表示しても良い。或いは、例えば位置案内ラベル１１２Ｌにおける左右方向（幅方向）に異なる複数箇所にＬＥＤ（Light Emitting Diode）等の発光素子をそれぞれ組み込み、対象紙幣における長辺の長さに合わせた箇所の発光素子のみを発光させるようにしても良い。これらの場合、対象紙幣における長辺の長さに合わせて、その両端を合わせるべき位置を適切に示すことができる。
【０１２７】
さらに上述した第１の実施の形態においては、現金自動預払機１において取扱可能な紙幣のうち長辺が最も短い紙幣の最小長辺長ＬＭＩＮを基に中央部長さＬＣ及び各境界位置ＷＥを定める場合について述べた。しかしながら本発明はこれに限らず、例えば事前に定められた左右の外部長さＬＥをガイド間隔ＬＧからそれぞれ差し引くことにより各境界位置ＷＥを定める等、種々の値を基に中央部長さＬＣ及び各境界位置ＷＥを定めても良い。第２の実施の形態についても同様である。
【０１２８】
さらに上述した第１の実施の形態においては、媒体としての紙幣に関する取引を行う現金自動預払機１の紙幣入出金機１０に本発明を適用する場合について述べた。しかしながら本発明はこれに限らず、例えば種々の証券や金券、或いは商品券や入場券等、紙葉状でなり大きさが異なる複数種類の媒体を取り扱う種々の媒体処理装置に適用しても良い。第２の実施の形態についても同様である。
【０１２９】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１３０】
さらに上述した実施の形態においては、入出部としての紙幣入出金部１２と、収容空間としての収容空間１２Ａと、搬送部としての搬送部１３と、鑑別部としての鑑別部１４と、収納部としての紙幣収納庫１６と、通知部としての操作表示部６と、制御部としての紙幣制御部１１とによって媒体処理装置としての現金自動預払機１を構成する場合について述べた。しかしながら本発明はこれに限らず、その他種々の構成でなる入出部と、収容空間と、搬送部と、鑑別部と、収納部と、通知部と、制御部とによって媒体処理装置を構成しても良い。
【産業上の利用可能性】
【０１３１】
本発明は、例えば顧客との間で紙幣に関する取引を行う現金自動預払機で利用できる。
【符号の説明】
【０１３２】
１、１０１……現金自動預払機、５……入出金口、５Ａ……シャッタ、６……操作表示部、９……主制御部、１０、１１０……紙幣入出金機、１１、１１１……紙幣制御部、１２、１１２……紙幣入出金部、１２Ａ……収容空間、１２Ｂ……シャッタ、１２Ｇ……サイドガイド、１３……搬送部、１４……鑑別部、１４Ｗ……鑑別搬送路、１６……紙幣収納庫、２５……サイドガイド、３０……分離放出部、３５……ピッカローラ、４５……イメージセンサ部、４５Ａ……上イメージセンサ、４５Ｂ……下イメージセンサ、１１０……紙幣入出金機、１１２Ｌ……位置案内ラベル、ＢＬ……紙幣、ＢＬＭＡＸ……最大長辺紙幣、ＢＬＭＩＮ……最小長辺紙幣、ＢＬＳ……短紙幣、ＬＧ……ガイド間隔、ＬＭＡＸ……最大長辺長、ＬＭＩＮ……最小長辺長、Ｍ……位置マーク、ＳＡ……撮像領域、ＳＡＣ……中央部領域、ＳＡＥ……外部領域、Ｗ……搬送路、ＷＣ……搬送中心線、ＷＥ……境界位置、ＷＧ……ガイド位置。
【図１】
2017211795.tif 000003
【図２】
2017211795.tif 000004
【図３】
2017211795.tif 000005
【図４】
2017211795.tif 000006
【図５】
2017211795.tif 000007
【図６】
2017211795.tif 000008
【図７】
2017211795.tif 000009
【図８】
2017211795.tif 000010
【図９】
2017211795.tif 000011
【図１０】
2017211795.tif 000012
【図１１】
2017211795.tif 000013
【図１２】
2017211795.tif 000014